(57)【要約】      （修正有）【課題】リンクパススルー機能を備えた伝送装置を含む伝送システムにおいて、回線に障害が発生してもデッドロック状態に陥ることを防ぐ。【解決手段】リンクパススルー制御を行う機能を備えた第１及び第２の装置とそれぞれ接続された第１のインタフェースと第２のインタフェースを備え、第２のインタフェースと第２の装置との間の回線障害を検出すると第１の障害発生通知を第１のインタフェースから送信するとともに、第１のインタフェースにおいて第１の装置が回線障害を検出したことを示す第２の障害発生通知を第１の装置から受信した際に第２のインタフェースと第２の装置との間の回線の障害を検出している場合、又は第１のインタフェースにおいて第２の障害発生通知及び第１の装置においてリンクパススルー制御が実行されたことを示す第１のリンクパススルー発生通知を受信した場合には、第２のインタフェースに対するリンクパススルー制御を実施しない。【選択図】図１
2014027471.tif 000002
【特許請求の範囲】
【請求項１】
リンクパススルー制御を行う機能を備えた第１の装置と接続された第１のインタフェースと、
第２の装置と接続された第２のインタフェースと、
リンクパススルー制御を行う機能を備え、前記第２のインタフェースと前記第２の装置との間の回線の障害を検出すると第１の障害発生通知を前記第１のインタフェースから送信するとともに、前記第１のインタフェースにおいて前記第１の装置が回線の障害を検出したことを示す第２の障害発生通知を前記第１の装置から受信した際に前記第２のインタフェースと前記第２の装置との間の回線の障害を検出している場合、又は前記第１のインタフェースにおいて前記第２の障害発生通知及び前記第１の装置においてリンクパススルー制御が実行されたことを示す第１のリンクパススルー発生通知を受信した場合には、前記第２のインタフェースに対するリンクパススルー制御を実施しない制御部と、
を備える伝送装置。
【請求項２】
前記制御部は、前記第２の障害発生通知に基づいて前記第２のインタフェースに対してリンクパススルー制御を実施している場合には、前記第１の障害発生通知及び第２のリンクパススルー発生通知を前記第１の装置へ送信する、請求項１に記載された伝送装置。
【請求項３】
請求項１又は２に記載された伝送装置が対向して接続された、伝送システム。
【請求項４】
第２の装置と接続された第２のインタフェースと前記第２の装置との間の回線の障害を検出すると第１の障害発生通知を第１のインタフェースから第１の装置に送信し、
前記第１の装置が回線の障害を検出したことを示す第２の障害発生通知を受信した際に前記第２のインタフェースと前記第２の装置との間の回線の障害を検出している場合、又は、前記第１のインタフェースにおいて前記第２の障害発生通知を受信した際に前記第１の装置においてリンクパススルー制御が実行されたことを示すリンクパススルー発生通知を前記第１の装置から受信した場合には、前記第２のインタフェースに対するリンクパススルー制御を実施しない、
伝送装置の制御方法。
【発明の詳細な説明】
【技術分野】
【０００１】
本発明は、伝送装置、伝送装置の制御方法及び伝送システムに関し、特に、リンクパススルー機能を備えた伝送装置、伝送装置の制御方法及び伝送システムに関する。
【背景技術】
【０００２】
複数の伝送装置が直列に接続されたネットワークにおいて、伝送装置間のある区間のリンク断を他の伝送装置に伝達する機能として、リンクパススルー機能が知られている。リンクパススルー機能とは、２つの回線の間で信号を中継する伝送装置の一方の回線において回線障害が検出された場合に、伝送装置が他方の回線とのリンクを切断する機能である。リンクの切断は、例えば伝送装置が他方の回線へのデータの送出を停止することで行われる。
【０００３】
本発明に関連する、リンクパススルー機能を備えた伝送システムの構成を図９に示す。図９に示す伝送システム５００は、スイッチ１及び２、伝送装置５３〜５６を備える。伝送装置５３〜５６は、リンクパススルー機能を備える。スイッチ１とスイッチ２との間の回線は、回線１、回線２によって二重化されており、スイッチ１に入出力されるデータ信号は、回線１あるいは回線２のいずれかを経由してスイッチ２へ伝送される。
【０００４】
回線１には、ローカル側（スイッチ１側）に伝送装置５３、リモート側（スイッチ２側）に伝送装置５４が接続されている。回線２には、ローカル側（スイッチ１側）に伝送装置５５、リモート側（スイッチ２側）に伝送装置５６が接続されている。ローカル側とリモート側とで各装置の構成は対称である。スイッチ１及びスイッチ２を同時に同じ回線側に切り替えることで、回線１と回線２とを切り替えることができる。
【０００５】
図９の伝送システム５００におけるリンクパススルー機能の動作を図１０、図１１、図１２を用いて説明する。図１０はローカル側の伝送装置５３とスイッチ１との間の回線で障害が発生した場合、図１１はリモート側の伝送装置５４とスイッチ２との間の回線で障害が発生した場合、図１２はローカル側の伝送装置５３とリモート側の伝送装置５４との間の回線で障害が発生した場合のリンクパススルー機能の動作を示す図である。
【０００６】
まず、図１０について説明する。図１０において、ローカル側装置である伝送装置５３は、スイッチ１と伝送装置５３との間の回線に障害が発生すると、障害発生通知を伝送装置５４に送信する。また、スイッチ１は、回線の障害を検出すると経路を回線２側に切り替える。スイッチ１、２及び伝送装置５３〜５６における回線の障害の検出は、例えば入力信号が断となることで行ってもよい。一方、伝送装置５４は、伝送装置５３から障害発生通知を受信するとリンクパススルー機能に基づく制御（リンクパススルー制御）を行い、伝送装置５４からスイッチ２へのデータの送出を停止し、リンクを切断する。スイッチ２は伝送装置５４との間のリンクが断となったことを検出すると、経路を回線１から回線２に切り替える。このようにして、回線１で障害が発生するとスイッチ１、２は経路を回線２に切り替えることができる。
【０００７】
次に、図１１について説明する。図１１において、リモート側装置である伝送装置５４は、伝送装置５４とスイッチ２との間で回線に障害が発生すると、障害発生通知を伝送装置５３に送信する。また、スイッチ２は伝送装置５４との間の回線の障害を検出すると経路を回線２側に切り替える。伝送装置５３は伝送装置５４から障害発生通知を受信するとリンクパススルー制御を行い、スイッチ１と伝送装置５３との間のリンクを切断する。スイッチ１は伝送装置５３との間のリンクが断となったことを検出すると、経路を回線１から回線２に切り替える。このようにして、図１１の場合も、回線１で障害が発生するとスイッチ１、２は経路を回線２に切り替えることができる。
【０００８】
続いて、図１２について説明する。図１２は、ローカル側装置である伝送装置５３とリモート側装置である伝送装置５４との間で障害が発生した場合を示す。この場合、伝送装置５３、５４は、いずれも、スイッチ１又は２の反対側で対向する装置と自装置との間で障害が発生したことを認識する。ここで、伝送装置５３及び５４は障害発生通知を受信した場合と同様にそれぞれリンクパススルー制御を行い、それぞれ伝送装置５３とスイッチ１との間及び伝送装置５４とスイッチ２との間のリンクを切断する。スイッチ１、２は伝送装置５３又は伝送装置５４との間のリンクが断となったことを検出すると、経路を回線１から回線２に切り替える。このようにして、図１２の場合も、回線１で障害が発生するとスイッチ１、２は経路を回線２に切り替えることができる。
【０００９】
このように、図１０、図１１、図１２いずれの場合も、伝送装置５３、５４のリンクパススルー機能によりスイッチ１、２は両スイッチ間の経路上で障害が発生したことを自スイッチにリンク断が発生することで認識できる。その結果、伝送システム５００は冗長回線である回線２への経路切り替えを行うことができる。
【００１０】
なお、特許文献１、２は、リンクパススルー機能を備えた伝送装置を含むシステムの構成を開示している。
【先行技術文献】
【特許文献】
【００１１】
【特許文献１】特開２０１２−１０００８６号公報
【特許文献２】特開２０１１−０５５３８１号公報
【発明の概要】
【発明が解決しようとする課題】
【００１２】
図１３は、本発明に関連する、リンクパススルー機能を備えた伝送システムのリンク切断後の動作を説明するための図である。図１３には、回線切り替え前に運用されていたスイッチ１、２の回線１側と、伝送装置５３、５４のみが記載されている。
【００１３】
まず伝送装置５３がスイッチ１との間に障害発生を検出し、伝送装置５４に障害発生通知を送信する。伝送装置５４は受信した障害発生通知によりリンクパススルー制御を行い、伝送装置５４とスイッチ２との間のリンクを切断する。スイッチ２との間のリンクが断となった時点で、伝送装置５４は、リンク断による障害発生通知を伝送装置５３に対して送信する。
【００１４】
ここで、伝送装置５３は、伝送装置５４から障害発生通知を受信したことによりリンクパススルー制御を行い、伝送装置５３からスイッチ１へのデータの送出を停止する。すなわち、伝送装置５３は、自身が検出した障害が原因で対向する装置５４で発生したリンクパススルー制御によって、スイッチ１との間の回線に対して２次的なリンクパススルー制御を行うことになる。
【００１５】
続いて図１４を用いて、２次的なリンクパススルー制御により伝送システム５００がデッドロック状態となる場合の動作を説明する。スイッチ１と伝送装置５３との間の障害が復旧した後も、伝送装置５３は伝送装置５４から受信した障害発生通知によるリンクパススルー制御により、スイッチ１と伝送装置５３との間のリンクを切断状態のまま維持している。このため、障害が復旧しても、伝送装置５３は障害復旧通知を伝送装置５４に送信しない。伝送装置５４は、スイッチ１と伝送装置５３との間の障害が復旧しているにもかかわらず伝送装置５３から障害復旧通知を受信しないため、伝送装置５４のリンクパススルー制御は解除されず、伝送装置５４とスイッチ２との間のリンクも復旧しない。そして、伝送装置５４とスイッチ２との間のリンクが復旧しないので、伝送装置５４は、伝送装置５３へ障害復旧通知を送信しない。このため、伝送装置５３のリンクパススルー制御も解除されず、伝送装置５３とスイッチ１との間のリンクも復旧しない。すなわち、伝送装置５３と伝送装置５４とはリンク断状態から抜け出せないデッドロック状態になる。
【００１６】
一般に、伝送装置がデッドロック状態に陥るとその伝送装置により構成されているシステムも正常に機能しなくなるため、伝送システム全体の再起動が必要となる可能性もある。また、ひとたびデッドロック状態に陥った伝送装置を再起動するためには、伝送装置の管理が可能な場所まで保守員を派遣させるなどの作業も発生する。
【００１７】
このように、リンクパススルー制御においては、対向している装置間で互いにリンクパススルー制御が行われることによりデッドロック状態に陥り、リンク断状態から復旧できなくなる場合があるという課題がある。そして、特許文献１、２はこのような課題を解決するための手段を開示していない。
【００１８】
本発明は、リンクパススルー機能を備えた伝送装置を含む伝送システムにおいて、回線に障害が発生してもデッドロック状態に陥ることを防ぐという課題を解決するための技術を提供することを目的とする。
【課題を解決するための手段】
【００１９】
本発明の伝送装置は、リンクパススルー制御を行う機能を備えた第１の装置と接続された第１のインタフェースと、第２の装置と接続された第２のインタフェースと、リンクパススルー制御を行う機能を備え、前記第２のインタフェースと前記第２の装置との間の回線の障害を検出すると第１の障害発生通知を前記第１のインタフェースから送信するとともに、前記第１のインタフェースにおいて前記第１の装置が回線の障害を検出したことを示す第２の障害発生通知を前記第１の装置から受信した際に前記第２のインタフェースと前記第２の装置との間の回線の障害を検出している場合、又は前記第１のインタフェースにおいて前記第２の障害発生通知及び前記第１の装置においてリンクパススルー制御が実行されたことを示す第１のリンクパススルー発生通知を受信した場合には、前記第２のインタフェースに対するリンクパススルー制御を実施しない制御部と、を備える。
【００２０】
本発明の伝送装置の制御方法は、第２の装置と接続された第２のインタフェースと前記第２の装置との間の回線の障害を検出すると第１の障害発生通知を第１のインタフェースから第１の装置に送信し、前記第１の装置が回線の障害を検出したことを示す第２の障害発生通知を受信した際に前記第２のインタフェースと前記第２の装置との間の回線の障害を検出している場合、又は、前記第１のインタフェースにおいて前記第２の障害発生通知を受信した際に前記第１の装置においてリンクパススルー制御が実行されたことを示すリンクパススルー発生通知を前記第１の装置から受信した場合には、前記第２のインタフェースに対するリンクパススルー制御を実施しない。
【発明の効果】
【００２１】
本発明は、リンクパススルー機能を備えた伝送装置を含む伝送システムにおいて、デッドロック状態に陥ることを防ぐことを可能とするという効果を奏する。
【図面の簡単な説明】
【００２２】
【図１】第１の実施形態の伝送システムの構成を示す図。
【図２】第１の実施形態の伝送システムにおけるリンクパススルー動作を説明するための図。
【図３】第１の実施形態の伝送システムにおけるリンクパススルー動作を説明するための図。
【図４】第１の実施形態の伝送装置の動作を示すフローチャート。
【図５】第２の実施形態の伝送システムの構成を示す図。
【図６】第２の実施形態の伝送システムの動作を説明するための図。
【図７】第２の実施形態の伝送システムに用いられる伝送装置の動作を示すフローチャート。
【図８】第３の実施形態の伝送装置の構成を示す図。
【図９】本発明に関連する、リンクパススルー機能を備えた伝送システムの構成を示す図。
【図１０】ローカル側の伝送装置とスイッチとの間の回線で障害が発生した場合のリンクパススルー機能の動作を示す図。
【図１１】リモート側の伝送装置とスイッチとの間の回線で障害が発生した場合のリンクパススルー機能の動作を示す図。
【図１２】ローカル側の伝送装置とリモート側の伝送装置との間の回線で障害が発生した場合のリンクパススルー機能の動作を示す図。
【図１３】本発明に関連する、リンクパススルー機能を備えた伝送システムのリンク切断後の動作を説明するための図。
【図１４】伝送システムがデッドロック状態となる場合の動作を説明するための図。
【発明を実施するための形態】
【００２３】
（第１の実施形態）
本発明の第１の実施形態の伝送システムの構成について図１を用いて説明する。図１は、第１の実施形態の伝送システムの構成を示す図である。
【００２４】
図１に示す伝送システム１００は、回線１、回線２によるネットワークの二重化が図られている。回線１、回線２はスイッチ１、スイッチ２により切り替えが可能である。回線１、回線２にはそれぞれローカル側（スイッチ１側）に伝送装置３及び５、リモート側（スイッチ２側）に伝送装置４及び６が接続されている。ローカル側とリモート側とで各装置の構成は対称である。伝送装置３〜６はリンクパススルー機能を備えるとともに、スイッチ１又はスイッチ２側及び対向する伝送装置側にそれぞれインタフェースを備えている。
【００２５】
伝送装置３〜６は、例えば電気信号と光信号とを相互に変換するメディアコンバータである。伝送装置３〜６としてメディアコンバータを用いることにより、スイッチ１と伝送装置３、５との間、及び、スイッチ２と伝送装置４、６との間を電気信号で伝送し、伝送装置３と伝送装置４との間、及び、伝送装置５と伝送装置６との間を光信号で伝送するように伝送システム１００を構築できる。このような構成により、スイッチ１とスイッチ２との間の伝送距離を大幅に延長することができる。
【００２６】
（第１の実施形態の動作の説明）
図１に示す伝送システム１００におけるリンクパススルー制御時の基本的な動作は、図１０〜図１２を用いて伝送システム５００について既に説明した動作と同様である。
【００２７】
第１の実施形態の伝送システム１００が備える伝送装置３〜６は、伝送システム５００が備える伝送装置５３〜５６の機能に加えて、リンクパススルー機能によるデッドロック状態を回避するための機能を備える。伝送装置３〜６を備える伝送システム１００において、デッドロック状態が回避される動作を図２、図３を用いて説明する。
【００２８】
図２及び図３は、図１に示した第１の実施形態の伝送システム１００におけるリンクパススルー動作を説明するための図である。図２及び図３は、伝送システム１００のうち回線１側のみを記載している。
【００２９】
図２において、スイッチ１と伝送装置３との間の回線に障害が発生したとする。伝送装置３はスイッチ１との間の障害発生を検出し、伝送装置４に障害発生通知を送信する。伝送装置４は受信した障害発生通知によりリンクパススルー制御を行い、スイッチ２へのデータの送出を停止することでスイッチ２との間のリンクを切断する。なお、スイッチ２は伝送装置４との間のリンクが切断されたことにより、データの伝送を行う回線を回線１から図示されない回線２へ切り替える。
【００３０】
スイッチ２とのリンクが断となると、伝送装置４はリンク断による障害発生通知を伝送装置３に対して送信する。ここで、本実施形態の伝送装置３は、自装置が障害を検出している場合には、対向する伝送装置４から障害発生通知を受信してもリンクパススルー制御を行わない。図２においては、伝送装置３はスイッチ１との間の回線の障害を検出しているため、伝送装置４から障害発生通知を受信した場合でもリンクパススルー制御を行わない。すなわち、伝送装置３は、スイッチ１へのデータの送出を停止しない。このため、リンクパススルー制御によるスイッチ１と伝送装置３との間のリンクの切断は行われない。
【００３１】
図３は、図２の状態に続いて、伝送装置３とスイッチ１との間の障害が復旧した場合の動作を示す図である。図２で説明したように、伝送装置３は伝送装置４から障害発生通知を受信しているが、リンクパススルー制御によるスイッチ１と伝送装置３との間のリンクの切断は行わない。このため、スイッチ１と伝送装置３との間の回線の障害が復旧すると、スイッチ１と伝送装置３との間のリンクも復旧する。スイッチ１と伝送装置３との間の障害が復旧すると、伝送装置３は伝送装置４に対して障害復旧通知を送信する。伝送装置４は受信した障害復旧通知によりスイッチ２との間のリンクパススルー制御を解除し、スイッチ２との間のリンクを復旧する。伝送装置４は、スイッチ２との間のリンクが復旧すると伝送装置３に対して障害復旧通知を送信する。ただし、伝送装置３はリンクパススルー制御を行っていないので、伝送装置４から障害復旧通知を受信しても伝送装置３はリンクパススルー機能に関連する制御を行わない。
【００３２】
なお、スイッチ１、２と伝送装置３、４とのそれぞれのリンクが復旧した場合にはスイッチ１、２はデータを伝送する回線を回線２から回線１に切り戻してもよい。
【００３３】
図２及び図３で説明した動作を行う伝送装置の動作フローを、図４の伝送装置の動作を示すフローチャートを用いて説明する。以下では図１に記載された伝送装置を例として動作フローを説明する。図４に示す動作フローは伝送装置３〜６のいずれにも共通である。
【００３４】
まず、伝送装置は、自身にリンクパススルー制御の原因が発生しているかどうかを確認する。つまり、接続された回線の障害を伝送装置が検出しているかどうかを確認する（図４のステップＳ１）。接続された回線の障害を伝送装置が検出していていない場合（ステップＳ１：Ｎｏ）に対向装置（例えば伝送装置３に対する伝送装置４）で障害が発生した場合（ステップＳ２：Ｙｅｓ）は、その障害発生通知は自身の障害に起因するものではないため、伝送装置は対向装置から受信する障害発生通知によってリンクパススルー制御を行う（ステップＳ３）。対向装置での障害の発生は、自装置が対向装置から障害発生通知を受信することで知ることができる。
【００３５】
一方、伝送装置自身で障害が検出されている場合（ステップＳ１：Ｙｅｓ）は、その障害発生通知を受信した対向装置がリンクパススルー制御を行う。その結果、伝送装置は対向装置から障害発生通知を受信する。ここで、伝送装置自身が障害を検出している場合に対向装置から受信する障害発生通知は、自身の障害が原因となり対向装置がリンクパススルー制御を行った結果発生したリンク断による可能性が高い。このため、対向装置から障害発生通知を受信しても伝送装置はリンクパススルー制御を行わない。これにより、伝送装置３は２次的なリンクパススルー制御を回避することになる。
【００３６】
その後、伝送装置３自身の障害が復旧しスイッチ１との間のリンクも復旧した後（ステップＳ１０：Ｙｅｓ、ステップＳ１１：Ｙｅｓ）、所定の保護時間が経過した時点で（ステップＳ１２）フローはステップＳ１に戻る。このように、自身で障害発生を検出した伝送装置は、自装置の障害が復旧しリンクが回復し保護時間が経過するまではリンクパススルー制御に関しては何も行わない。
【００３７】
ここで、ステップＳ１２における保護時間とは、障害の原因となった装置（原因装置）がリンク復旧による障害復旧通知を対向装置に送信し、対向装置がリンクパススルー制御を解除し、対向装置のリンクが復旧し、原因装置が対向装置から障害復旧通知を受信するまでに要する合計の時間である。
【００３８】
ステップＳ１２の後、伝送装置自身に障害がなく（ステップＳ１：Ｎｏ）、対向装置で障害が生じた場合（ステップＳ２：Ｙｅｓ）は、対向装置で障害が発生した可能性が高い。このため、伝送装置はリンクパススルー制御を実施し（ステップＳ３）スイッチ１との間のリンクを切断する。
【００３９】
ステップＳ３以降は、自装置に障害がない場合に、対向装置から障害発生通知を受信した場合の動作である。ステップＳ３においてリンクパススルー制御を実施したことにより伝送装置がスイッチ１との間のリンク断を検出すると（ステップＳ４：Ｙｅｓ）、伝送装置は対向装置（伝送装置４）へ障害発生通知を送信する（ステップＳ５）。
【００４０】
その後、対向装置から受信していた障害発生通知が解除されると（ステップＳ６：Ｎｏ）、伝送装置はリンクパススルー制御を解除する（ステップＳ７）。伝送装置３のリンクパススルー制御の解除によりリンクが復旧すると（ステップＳ８：Ｙｅｓ）、伝送装置は対向装置へ障害復旧通知を送信し（ステップＳ９）、ステップＳ１へ戻る。
【００４１】
このように、第１の実施形態の伝送システム１００では、障害を検出している伝送装置は、自身の障害が復旧するまでの間は、対向する伝送装置からの障害発生通知を受信した場合においてもリンクパススルー制御を実施しない。その結果、第１の実施形態の伝送システム１００では、リンクパススルー制御の原因となった障害が復旧すると、伝送装置がデッドロック状態に陥ることなくリンクが復旧する。
【００４２】
以上説明したように、第１の実施形態の伝送システム１００は、リンクパススルー機能を備えた伝送装置が対向したシステムにおいて、デッドロック状態に陥ることなくリンク断状態からの復旧を可能とするという効果を奏する。そして、第１の実施形態の伝送システムは、伝送装置がデッドロック状態に陥ることなく安定して運用することができるので、伝送装置を含めたネットワークの信頼性の向上にも貢献できるという効果も奏する。
【００４３】
（第２の実施形態）
第１の実施形態の伝送システム１００では、伝送装置３がスイッチ１との間の回線の障害を検出している場合に、対向する伝送装置４からの障害発生通知を受信した場合にはスイッチ１との間の回線に対するリンクパススルー制御を行わないようにしていた。第２の実施形態では、リンクパススルー制御を行っている対向する伝送装置は、障害発生通知を送信する際にリンクパススルー制御を行っていることを示す情報（リンクパススルー発生通知）を併せて送信する。障害発生通知を受信した伝送装置は、障害発生通知にリンクパススルー発生通知が含まれている場合には、リンクパススルー制御を行わない。
【００４４】
図５は、第２の実施形態の伝送システムの構成を示す図である。第２の実施形態の伝送システム２００の全体構成は図１に示した伝送システム１００と基本的に同一である。すなわち、伝送システム２００は、スイッチ１、２及び伝送装置２３〜２６を備える。伝送システム２００は、伝送装置３〜６に代えて伝送装置２３〜２６を備える点のみ伝送システム１００と相違する。
【００４５】
図６を用いて第２の実施形態の伝送システム２００の動作を説明する。図６は、本発明の第２の実施形態の伝送システム２００の動作を説明するための図である。図６は、伝送システム２００のうち回線１側のみを記載している。
【００４６】
まず伝送装置２３がスイッチ１との間に障害発生を検出し、伝送装置２４に障害発生を通知する。伝送装置２３はリンクパススルー制御を行っていないので、伝送装置２４に対しては障害発生通知のみを通知し、リンクパススルー発生通知を送信しない。伝送装置２４は、受信した障害発生通知にリンクパススルー発生通知が含まれていないことから、スイッチ２に対するリンクパススルー制御を行い、スイッチ２との間のリンクを切断する。スイッチ２との間のリンクが断となった時点で、伝送装置２４は、リンク断による障害発生通知を伝送装置２３に対して送信する。ここで、伝送装置２４はリンクパススルー制御を実施しているため、伝送装置２３に対してリンクパススルー発生通知を障害発生通知に含めて送信する。伝送装置２３は、伝送装置２４から受信した障害発生通知にリンクパススルー発生通知が含まれていることを検出するため、スイッチ１との間の回線に対してリンクパススルー制御によるリンクの切断を行わない。その結果、スイッチ１と伝送装置２３との間の障害が復旧すると、スイッチ１と伝送装置２３との間のリンクも復旧する。
【００４７】
図７は、第２の実施形態の伝送システム２００に用いられる伝送装置２３〜２６の動作を示すフローチャートである。以下では図５の構成を前提に伝送装置の動作フローを説明する。図７に示す動作フローは伝送装置２３〜２６のいずれにも共通である。
【００４８】
伝送装置２３は、対向装置（伝送装置２４）から障害発生通知を受信すると（図７のステップＳ２１：Ｙｅｓ）、リンクパススルー発生通知を受信しているかを確認する（ステップＳ２２）。リンクパススルー発生通知を受信していなければ（ステップＳ２２：Ｎｏ）、この障害発生通知は対向装置が原因で発生したものと判断できるので、伝送装置はリンクパススルー制御を行う（ステップＳ２３）。一方、伝送装置が対向装置からリンクパススルー発生通知を受信していれば（ステップＳ２２：Ｙｅｓ）、この障害発生通知は自装置の障害に起因して対向装置のリンクパススルー制御の結果として受信したものであると判断できる。リンクパススルー発生通知を受信している場合には、伝送装置は、対向装置から障害発生通知を受信してもリンクパススルー制御を行わない。これにより、２次的なリンクパススルー制御が回避される。
【００４９】
伝送装置がリンクパススルー発生通知を受信しない場合（ステップＳ２２：Ｎｏ）には、伝送装置はリンクパススルー制御（ステップＳ２３）を行い自装置とスイッチ１との間のリンクを断とし（ステップＳ２４：Ｙｅｓ）、対向装置へリンク断発生通知を送信する（ステップＳ２５）。ここで、伝送装置はリンクパススルー制御を実施しているため、ステップＳ２５においては対向装置に対してリンクパススルー発生通知も併せて送信する。
【００５０】
対向装置から障害復旧通知を受信すると（ステップＳ２６）、伝送装置はリンクパススルー制御を終了し（ステップＳ２７）、伝送装置とスイッチ１との間のリンクの復旧を待つ（ステップＳ３８）。スイッチ１との間のリンクが復旧すると（ステップＳ２８：Ｙｅｓ）、対向装置へリンクの復旧を通知する（ステップＳ２９）。
【００５１】
以上説明したように、第２の実施形態の伝送システムにおいて、伝送装置は、自身がリンクパススルー制御を実施している場合には、対向装置に対してリンクパススルー発生通知を障害発生通知と併せて送信する。そして、リンクパススルー発生通知を受信した伝送装置はリンクパススルー制御を行わない。その結果、第２の実施形態の伝送システムは、２次的なリンクパススルー制御が行われないため、デッドロック状態に陥ることなくリンク断状態からの復旧を可能とするという効果を奏する。そして、第２の実施形態の伝送システムは、伝送装置がデッドロック状態に陥ることなく安定して運用することができるので、伝送装置を含めたネットワークの信頼性にも貢献できる。
【００５２】
（第３の実施形態）
図８は、本発明の第３の実施形態の伝送装置の構成を示す図である。第３の実施形態の伝送装置３００は、図示されない第１の装置と接続された第１のインタフェース３０１と、図示されない第２の装置と接続された第２のインタフェース３０２と、制御部３０３と、を備える。ここで、第１の装置は、リンクパススルー制御を行う機能（リンクパススルー機能）を備えている。
【００５３】
制御部３０３は、第２のインタフェースと第２の装置との間の障害を検出すると、障害発生通知を第１の装置に送信する。そして、制御部３０３は、第１の装置からの障害発生通知を受信した際に自装置で障害が発生している場合には、第２のインタフェースと第２の装置との間のリンクを切断する。
【００５４】
このような構成を備える伝送装置３００は、以下のように動作する。すなわち、第２の装置との間のリンクが断となった場合、伝送装置３００は、障害発生通知を第１の装置に送信する。その後、伝送装置３００は、第１の装置から障害発生通知を受信すると、伝送装置３００自身で第２の装置との間のリンク断が発生していることから、第２のインタフェース３０２と第２の装置との間のリンクを切断しない。
【００５５】
自装置で障害が発生しているかどうかは、例えば、自装置が障害を検出しているかどうかによって知ることができる。あるいは、自装置の障害により対向装置がリンクパススルー制御を実施したことを示す通知を対向装置から受信したことによって、自装置で障害が発生していると判断してもよい。
【００５６】
伝送装置３００は、自装置で障害が発生している場合には、第２のインタフェース３０２と第２の装置との間のリンクを切断しない。これにより、第１の実施形態の図３で説明した動作と同様の動作により、第２のインタフェースの障害が復旧すると第２のインタフェース３０２と第２の装置との間のリンクが復旧する。
【００５７】
従って、伝送装置３００は、自装置の障害が復旧した際にデッドロック状態に陥ることなくリンク断状態からの復旧を可能とするという、第１及び第２の実施形態と同様の効果を奏する。
【００５８】
また、第３の実施形態の伝送装置３００の構成は、第１の実施形態で説明した伝送装置３〜６及び第２の実施形態で説明した伝送装置２３〜２６にも適用可能である。
【００５９】
以上、第１〜第３の実施形態を用いて本願発明を説明したが、本願発明は上記実施形態に限定されるものではない。本願発明の構成や詳細には、本願発明のスコープ内で当業者が理解し得る様々な変更をすることができる。
【符号の説明】
【００６０】
１、２  スイッチ
３〜６、２３〜２６、５３〜５６、３００  伝送装置
１００、２００、５００  伝送システム
３０１  第１のインタフェース
３０２  第２のインタフェース
３０３  制御部
【図１】
2014027471.tif 000003
【図２】
2014027471.tif 000004
【図３】
2014027471.tif 000005
【図４】
2014027471.tif 000006
【図５】
2014027471.tif 000007
【図６】
2014027471.tif 000008
【図７】
2014027471.tif 000009
【図８】
2014027471.tif 000010
【図９】
2014027471.tif 000011
【図１０】
2014027471.tif 000012
【図１１】
2014027471.tif 000013
【図１２】
2014027471.tif 000014
【図１３】
2014027471.tif 000015
【図１４】
2014027471.tif 000016